(57)【特許請求の範囲】
【請求項１】
外部より透視可能の室内に収納された景品を移動自在の把持手段で把持し取得するゲーム装置において、前記取得対象の景品が収納されている部屋の床面近傍に少なくも一部が移動自在のブレードを有するワイパー機構を備え、該ワイパー機構の移動方向の床面端部近接部位に、取得失敗により落下した当該景品を回収する回収ボックスが併設され、かつ該回収ボックスに通ずる通路が景品払い出し口に連通していること、を特徴とするゲーム装置。
【請求項２】
前記ゲーム装置において、前記回収ボックスと共に、該回収ボックスへの通路の途中にダンパー機構が設けられ、該ダンパー機構の動作により落下景品の回収又は、払い出しが行えるようになっていること、を特徴とする請求項１に記載のゲーム装置。
【請求項３】
外部より透視可能の室内に収納された景品を移動自在の把持手段で把持し取得するゲーム装置において、前記取得対象の景品が収納されている部屋の床面近傍に少なくも一部が移動自在で、単一のベルト上に並設固定された２個のブレードを有するワイパー機構を備え、一方のブレードの一方の動作端部近傍に落下景品回収ボックスが併設されると共に、他方のブレードの動作端部近傍に前記落下景品回収ボックスとは別の落下景品の払い出し通路が設けてあること、を特徴とするゲーム装置。
【請求項４】
前記ゲーム装置において、景品を収納する部屋の床面近傍に取得失敗による落下景品を検知するセンサーが併設され、該センサーにて景品の落下を検出し、該検出信号によりワイパー機構が動作するように構成されていること、を特徴とする請求項１から３のいずれかに記載のゲーム装置。
【請求項５】
前記ゲーム装置が、取得成功での払い出しを検出する景品払い出しセンサーを備え、ゲーム終了時に、景品の払い出しの無い時ワイパー機構が動作するように構成されていること、を特徴とする請求項１から３のいずれかに記載のゲーム装置。
【請求項６】
前記ゲーム装置が、取得失敗による景品の落下を検知する落下景品検出センサーを備え、特定の位置への景品落下により、当該景品を払い出すように構成されていること、を特徴とする請求項１から３のいずれかに記載のゲーム装置。
【請求項７】
前記ゲーム装置が、前記把持手段と、景品を懸架する係止手段と、前記把持手段をＸ(左右)，Ｙ(上下)，Ｚ（前後）三方向に移動する制御手段と、該制御手段を操作する操作部とを備えていること、を特徴とする請求項１から３のいずれかに記載のゲーム装置。
【請求項８】
前記ゲーム装置が、前記把持手段と、景品を載置する棚と、前記把持手段をＸ(左右)，Ｙ(上下)，Ｚ（前後）三方向に移動する制御手段と、該制御手段を操作する操作部とを備えていること、を特徴とする請求項１から３のいずれかに記載のゲーム装置。
【請求項９】
前記ゲーム装置が、前記把持手段と、柱状で転回自在に景品を懸架する係止手段と、前記把持手段をＹ(上下)，Ｚ（前後）二方向に移動する制御手段と、該制御手段を操作する操作部とを備えていること、を特徴とする請求項１から３のいずれかに記載のゲーム装置。
【請求項１０】
前記ゲーム装置が、音響発生手段又は電飾手段を備え、落下景品払い出しの際、これら音響発生手段や電飾手段が連動するように構成されていること、を特徴とする請求項１から３のいずれかに記載のゲーム装置。
【請求項１１】
前記ゲーム装置が、音響発生手段及び電飾手段を備え、落下景品払い出しの際、これら音響発生手段や電飾手段が連動するように構成されていること、を特徴とする請求項１から３のいずれかに記載のゲーム装置。
【発明の詳細な説明】
【０００１】
【発明の属する技術分野】
本発明は、ゲーム装置に係り、特にゲームセンター等に設置される景品把持による取得を目的とする業務用ゲーム装置に関する。
【０００２】
【従来の技術】
従来から業務用ゲーム装置として、人形やお菓子、カプセル入りの玩具等をゲーム装置内部の床面に並置収納してこれらの景品をつり上げるゲーム装置や、景品を棚に載置しこれを把持取得するゲーム装置や、特開平８ー１１２４４６等に見られるような、ゲーム装置内部に懸架した景品を把持して取得するゲーム装置も登場し人気を博している。
【０００３】
特に最近人気の景品を棚に載置してこれを把持取得したり景品を懸架してこれを把持取得するゲーム装置も、景品に対する操作者の多様なニーズに答えるため、多種多様な景品を同時に収納しておくことに伴い種々工夫が加えられてきている。
上記公報に詳述されている懸架方式のゲーム装置は、水平に設けられた棒状係止手段に紐とリング部材で懸架された景品を、Ｘ(左右)，Ｙ(上下)，Ｚ（前後）三方向に移動自在で把持手段と一体を成す駆動機構部の位置を、操作手段で操作して取得する際景品を把持する爪が景品のどの辺を掴むかを競うことになるので、当該操作が、当然に係止手段から景品を取り外して取得し易い状態になっているか、逆に係止手段からはずれ難い状態になっているかは全く任意であると言える。
【０００４】
従って、顧客である操作者の操作能力も影響して、狙いの景品が、例えば把持し難い形状・材質のものである場合等、取得失敗の頻度が余りにも多くなるようでは興趣を損なう。特公平７−１１２５１３に見られるよう景品取得に失敗した場合、ゲ−ム装置内部の景品貯蔵部より景品が払い出せるが操作者の狙った景品が払い出せるのではないため興味が損なわれることになると共に、設置者側にとっても取得失敗による落下度合いが高まると、その回収頻度も高くなり管理コストの面でも問題となる。
【０００５】
【発明が解決しようとする課題】
従来の構成は、例えば操作者の交代の際、取得失敗による回収対象の落下している景品が床面に散在し、而も回収対象の景品の種別に特徴が見られるようになると、景品取得の可能性についての疑問を抱かせると共に、新しい操作者に景品選別を示唆し興趣を殺ぐことにもなり、設置者側にとっても上述の通り回収のための管理コストの増大等好ましくない状況が現出する危惧がある。
【０００６】
【課題を解決するための手段】
本発明に成るゲーム装置は、取得対象の景品が収納されている部屋の床面近傍に少なくも一部が移動自在のブレードを有するワイパー機構を備え、該ワイパー機構の移動方向の床面端部近接部位に、取得失敗により落下した当該景品を回収する回収ボックスが併設され、かつ該回収ボックスに通ずる通路が景品払い出し口に連通するように構成し前記通路の途中にダンパーを設け、該ダンパーの操作により落下景品を回収するか払い出すかの選択ができるようにする。
【０００７】
又他の構成は、ワイパー機構に、ベルト上に並設配置された２個のブレードを備え、該ブレードの一方の動作端近傍に回収ボックスを、他のブレードの動作端近傍に景品払い出し口に夫々通じる通過パイプの受け口を設け、ワイパー機構のブレード動作方向を選択して落下景品を回収又は払い出しの操作を行うことが出来るようにする。
【０００８】
更に別の構成は、取得対象の景品が収容されている部屋の床面近傍に落下景品を検出するセンサ−を設け、該センサの検出信号や、景品が払い出されたことを検出する景品払い出しセンサを設け、上記の各センサの出力信号の組み合わせにより落下景品を回収するか、払い出すかの選択ができるように構成する。
【０００９】
又、取得対象の景品が収容されている部屋の床面近傍に設けられた落下景品を検出するセンサが、当該落下景品の落下位置を検出可能の構成で、指定した特定位置に景品が落下した場合に当該落下景品が払い出されるように構成される。
【作用】
上述の如き構成においては、取得失敗による当該景品を収納室床面に堆積することなく所定の回収ボックスに回収できゲームセンター等の設置者の落下景品回収コストの抑制になると共に、取得失敗の度合いによっては当該取得失敗により落下した景品を払い出すことにより、操作者にゲームへの興味を持続させるものである。
【００１０】
【発明の実施の形態】
本発明に成るゲーム装置の第１実施例の構成を図１に示す。
図１に示す第１の実施例は、取得対象の景品を収容した部屋２に設けた棒状の係止手段４にキ−ホルダ等の景品５を吊し、これらの景品５を操作スイッチ９ａ、９ｂの操作等により上下（Ｙ）、左右（横、Ｘ）、前後（Ｚ）方向に移動可能でかつ景品を掴む為の一対の爪駆動機能を備える把持手段３、と落下した景品を検知するためのセンサ−手段７ー４として光センサ−、と床面の上部に落下した景品を移動させるためのワイパ−機構６、と落下した景品を回収する回収ボックス７と回収ボックスへの通路７ー１と、該通路７ー１に景品を払い出すためのダンパ−機構７ー３を備えた構成である。また、景品取得率を演算するため、景品払い出しセンサ−８ー４及び演算部３０を備えた制御回路３１とで構成されている。
尚、景品の係止手段及び把持手段及び此の機構の基本構成、動作は、特開平８−１１２４４６による。
【００１２】
上述の如き構成においての動作を図３〜５のフロ−図に従って説明する。
操作者のコイン投入によりゲ−ムは開始される。操作部上昇ＳＷ９ａをＯＮし把持手段を上昇させ上昇ＳＷ９ａのＯＦＦにより停止する。上昇ＳＷ９ａをＯＦＦさせない場合は、上昇限界ＳＷにより把持手段は停止する。横（左右）ＳＷ９ｂをＯＮにより把持手段は横に移動し  横ＳＷ９ｂのＯＦＦにより停止する。横の場合も横ＳＷをＯＦＦさせない場合、横限界ＳＷにより把持手段は停止する
【００１３】
以後は制御回路３１に内蔵されたプログラムに従い自動的に把持手段３は前進し、把持手段３に併設されている景品検知センサ−がＯＮすると把持手段３は停止し景品を掴むべく爪を閉じる動作をする。把持手段３は、景品の獲得や失敗に関係無く再び前進限界スイッチがＯＮするまで前進し停止して、爪を開くように動作して取得した景品を景品投入口８ー１に落下させた後、原点に戻る。景品投入口８ー１に落下した景品は通過パイプ８ー３を通過し景品払い出しセンサ８ー４を動作させて景品取り出し口８ー２より景品を取り出すことができる。
【００１４】
一方、前記の一連の取得操作において景品の把持が不適切で床に落下した景品は落下景品検知センサ−７ー４がＯＮしている場合、此の時点での景品獲得率（Ａ）と、規定の景品獲得率（Ｂ）を比較して例えば、Ａ＜Ｂの場合、ダンパ−７ー３を払い出し側に動作させ、かつワイパ−機構６を駆動し当該落下景品を回収ボックスの通路７ー１より景品通過パイプ８ー３と景品払い出しセンサ８ー４を経由して景品取り出し口８ー２に払い出す。尚、Ａ≧Ｂの場合は、ダンパ−機構７ー３を回収側に動作させて、かつワイパ−機構６を動作させることにより落下した景品を回収ボックス７に回収する。ゲ−ム終了時に  新たな景品獲得率（Ａ）を演算し、一連のゲ−ムは終了する。尚、回収ボックス７に収納された景品は、ゲ−ム装置に落下景品取出口７ー２を設けることにより、ゲーム装置の設置者が取り出すことが出来る。
【００１５】
図６は、第２の実施例の構成で、ワイパー機構６にはベルト６−１にブレード６−２が２個設けられ、ｂ方向に駆動するブレード６−２の移動方向の床面端部近接部位に落下景品の回収ボックス７の通路７−１が設けられ、ａ方向に駆動するブレード６−２の移動方向の床面端部近接部位に落下景品を払い出すための通路８−５が設けられ、例えば、景品獲得率（Ａ）と、規定の獲得率（Ｂ）とを比較してＡ≧Ｂの場合は回収となるから、ｂ方向にブレード６−２を駆動し、Ａ＜Ｂの場合は払い出しとなるから、ａ方向にブレード６−２を駆動する。この構成はダンパー機構７−３を設けていないのが特徴でその他の構成は、図１と同じである。
【００１６】
図７は、落下景品を移動させるワイパー機構６と落下景品の検出センサ７ー４及び回収ボックス７の構成を示す斜視図で、図示の落下景品検出センサ−７ー４は、光センサ−方式のタッチパネルのように複数の発光素子Ｐと複数の受光素子Ｊで構成する複数の光センサ−をＸ方向とＹ方向にマトリックス状に配置し、落下景品の位置をＸ方向とＹ方向の光センサの両方のセンサが動作した位置で検知する。図示の落下景品の検出センサを図１の構成、或いは図６の構成のゲーム装置に組み込み請求項９に記載した新しい構成とすることができる。
【００１８】
請求項１０、１１に示すゲーム装置は、図８に示すようにスピーカ等の音響発生装置及びＬＥＤやストロボランプ等の電飾装置を備え落下した景品を払い出す時にファンファーレや電飾の点滅を行い操作者に興奮を促すことと共に、周囲にアピールすることが可能である。
【００１９】
又、本実施例は特開平８−１１２４４６に示すゲ−ム装置を基本の構成としたが、図９に示すゲ−ム装置のように中央に回転可能な柱状に景品係止装置を取り付け、把持手段を上下（Ｙ）、前後（Ｚ）に移動可能な構成や図１０に示す棚状の景品係止手段と上下（Ｙ）、左右（Ｘ）、前後（Ｚ）に移動可能な把持手段で構成されたゲ−ム装置でもなんら問題は無い。
【００２０】
【発明の効果】
本発明に成るゲーム装置は、取得失敗による当該景品を収納室床面に堆積することなく所定の回収ボックスに回収でき、操作者へ取得失敗景品の種別認識を与える懸念も減少し管理コストの抑制にも有効である他、景品失敗の度合いによっては当該取得失敗により落下した景品を払い出し景品とすることも可能となり、ゲーム装置としての興趣高揚にも有効である。
【図面の簡単な説明】
【図１】本発明に成るゲーム装置の第１の実施例の構成を示す側面図である。
【図２】本発明に成るゲーム装置の第１の実施例の制御装置の構成略図である。
【図３】本発明に成るゲーム装置の第１の実施例の制御装置のフロー図の１である。
【図４】本発明に成るゲーム装置の第１の実施例の制御装置のフロー図の２である。
【図５】本発明に成るゲーム装置の第１の実施例の制御装置のフロー図の３である。
【図６】本発明に成るゲーム装置の第２の実施例の構成を示す側面図である。
【図７】本発明に成るゲーム装置のワイパー機構と落下景品検出センサと落下景品回収ボックスとの構成を示す斜視図である。
【図８】本発明に成るゲーム装置の請求項１３に示す例の制御装置の構成略図である。
【図９】本発明に成るゲーム装置の請求項１２に示す例の構成の概念図である。
【図１０】本発明に成るゲーム装置の請求項１１に示す例の構成の概念図である。
【符号の説明】
１        ゲーム装置本体
２        景品を収容した部屋
２ー２    景品を載置する棚
３        把持手段
４        係止手段
５        景品
６        ワイパー機構
６ー１    ベルト
６ー２    ブレード
６ー３    プーリー
６ー４    ワイパー機構のリミットセンサ
６ー５    ワイパー駆動機構
７        回収ボックス
７ー１    回収ボックスの通路
７ー２    落下景品取り出し口
７ー３    ダンパー
７ー４    落下景品検出センサ
８ー１    景品投入口
８ー２    景品取り出し口
８ー３    景品通過パイプ
８ー４    景品払い出しセンサ
８ー５    落下景品の払い出し通路
９ａ、９ｂ操作スイッチ
３０      演算装置
３１      制御回路
【図１】
0003971485.tif 000002
【図２】
0003971485.tif 000003
【図３】
0003971485.tif 000004
【図４】
0003971485.tif 000005
【図５】
0003971485.tif 000006
【図６】
0003971485.tif 000007
【図７】
0003971485.tif 000008
【図８】
0003971485.tif 000009
【図９】
0003971485.tif 000010
【図１０】
0003971485.tif 000011